(57)【特許請求の範囲】
【請求項１】
ガスクロマトグラフィ用サンプル（６２）の調製のための装置（１０）であって、
キャリアガス供給部と、
前記キャリアガス供給部からのキャリアガス（６４）によりフラッシングされるように構成され、かつ、内部、下端部および上端部を有する管状ライナ（１６）と、
制御可能に加熱されるサンプル貯槽（２６）と、
前記管状ライナ（１６）に設けられる活性材料（２０）と、
前記ライナの周りに同軸に配列されることにより、空間（４６）が前記ライナと外側管（３８）との間に形成され、前記空間がライナの前記下端部に接している外側管（３８）と、
前記外側管（３８）に設けられる分岐出口（４８）と、
前記空間（４６）内にキャリアガス（８２）を送るために、前記外側管（３８）に設けられるキャリアガス接続部（５２）と、
ガスクロマトグラフィカラム（１２）を接続するために、前記活性材料（２０）の上方にあるカラム接続部（２２）と、
前記キャリアガスの流れを、
第１のセッティング（図１）においては、前記ライナ（１６）の前記内部（２４）から前記活性材料（２０）を通って流れるように制御し、かつ、
第２のセッティング（図２）においては、前記キャリアガス接続部（５２）から反対方向に前記活性材料（２０）を通って、前記カラム接続部（２２）に流れるように制御するための制御手段とを備え、
前記ライナ（１６）の前記下端部は、制御可能に加熱されるように構成され、
前記サンプル貯槽（２６）は、前記ライナ（１６）の内部に配置されるか、またはサンプルとともに前記ライナ内に挿入されるように構成され、
前記活性材料（２０）は、前記ライナの制御可能に加熱される前記下端部に設けられ、
ガスクロマトグラフィカラム（１２）を接続するための前記カラム接続部（２２）は、前記活性材料（２０）の上方に設けられ、
前記キャリアガスの前記流れは、第１のセッティングにおいては、前記活性材料から前記空間（４６）に流れ、そこから前記分岐出口（４８）に流れ、
前記キャリアガスの前記流れは、第２のセッティングにおいては、反対方向に前記空間（４６）を通って、その後、前記活性材料（２０）を通って流れる、装置。
【請求項２】
前記サンプル貯槽（２６）は、前記ライナ（１６）の前記上端部に存在する、請求項１に記載の装置。
【請求項３】
前記サンプル貯槽は、前記ライナ（１６）の前記上端部に磁気的に取付けられる、請求項２に記載の装置。
【請求項４】
前記活性材料（２０）は、吸着剤または相材料である、請求項１に記載の装置。
【請求項５】
前記活性材料（２０）は、加熱および／または冷却されることができる、請求項１に記載の装置。
【請求項６】
冷却トラップ（５８）が、前記カラム（１２）の下流に設けられる、請求項１に記載の装置。
【請求項７】
前記制御手段は、前記第１のセッティングにおいてキャリアガスの侵入を防ぐのに十分なガス圧力を前記カラム（１２）の内部に発生するように構成された、前記カラム（１２）の下流の補助ガス接続部（５４；５６）を備える、請求項１に記載の装置。
【請求項８】
前記制御手段は、前記キャリアガス接続部（５２）の圧力を制御するための圧力制御手段を備える、請求項１に記載の装置。
【請求項９】
前記分岐出口（４８）中に遮断バルブが設けられている、請求項１に記載の装置。
【請求項１０】
前記サンプル貯槽は、サンプルまたはサンプル容器を自動的に受けるための受け装置と、サンプル蒸気を前記ライナ内に移送するための移送手段とを備える、請求項１に記載の装置。
【請求項１１】
分析目的用サンプルの調製のための方法であって、
ガス状サンプルを含むガスの流れをサンプルの蒸発（７４）により発生し、サンプル蒸気を含むキャリアガスの流れを発生する工程と、
サンプル蒸気を含むキャリアガスの流れを、外側管に配置される容器に含まれる活性材料（２０）を通して流す工程とを含み、活性材料は、サンプルが活性材料（２０）中に残留し、かつ、残留ガスの流れ（７６）が活性材料を通過するように選択され、さらに、
活性材料を通過したキャリアガスの流れ（８０）を、容器と外側管との間に形成される空間および分岐出口を通って外側に向かって除去する工程と、
活性材料中に含まれるサンプルをキャリアガスの流れの中に含ませるために、活性材料（２０）を通るキャリアガスの流れを反対方向に発生させる工程と、
サンプル−キャリアガスの流れ（８６，８８）をガスクロマトグラフィカラム（１２）に流す工程とを含み、
サンプル蒸気は、活性材料と同一の容器（１６）中に存在するサンプル貯槽（２６）を加熱することにより発生される、方法。
【請求項１２】
活性材料は、活性材料（２０）を通るキャリアガスの流れを反対方向に発生させる工程の間に加熱される、請求項１１に記載の方法。
【請求項１３】
前記活性材料は、サンプル蒸気を含むキャリアガスの流れを、活性材料（２０）を通して流す工程の間に冷却される、請求項１１に記載の方法。
【発明の詳細な説明】
【技術分野】
【０００１】
技術分野
発明は、ガスクロマトグラフィ用サンプルの調製のための装置であって、
（ａ）キャリアガスによりフラッシングされるように構成された管状ライナと、
（ｂ）制御可能に加熱されるサンプル貯槽と、
（ｃ）ライナ内に設けられる活性材料と、
（ｄ）空間がライナと外側管との間に形成され、空間がライナの下端部と接している、ライナの周りに同軸に配列される外側管と、
（ｅ）外側管の分岐出口と、
（ｆ）空間内にキャリアガスを送るために、外側管に設けられるキャリアガス接続部と、
（ｇ）ガスクロマトグラフィカラムを接続するために、活性材料の上方にあるカラム接続部と、
（ｈ）キャリアガスの流れを、
第１のセッティングにおいては、ライナの内部から活性材料を通って流れるように制御し、かつ、
第２のセッティングにおいては、キャリアガス接続部から反対方向に活性材料を通ってカラム接続部に流れるように制御するための制御手段とを備える、装置に関連する。
発明はまた、分析目的用サンプルの調製のための方法であって、
（ａ）ガス状サンプルを含むガスの流れをサンプルの蒸発により発生し、サンプル蒸気を含むキャリアガスの流れを発生する工程と、
（ｂ）サンプル蒸気を含むキャリアガスの流れを、外側管に配置される容器に含まれる活性材料を通って流す工程とを備え、活性材料は、サンプルが活性材料中に残留し、かつ、残留ガスの流れが活性材料を通過するように選択され、さらに、
（ｃ）活性材料を通過したキャリアガスの流れを、容器と外側管との間に形成される空間および分岐出口を通って外側に向かって除去する工程と、
（ｄ）活性材料中に含まれるサンプルをキャリアガスの流れの中に含ませるために、活性材料を通るキャリアガスの流れを反対方向に発生する工程と、
（ｅ）サンプル−キャリアガスの流れをガスクロマトグラフィカラムに流す工程、
とを含む、方法にも関する。
【背景技術】
【０００２】
サンプルをサンプリング装置によりガスクロマトグラフィカラム内に挿入することが知られている。このようなサンプリング装置は、サンプリングヘッドと、サンプリングヘッドに接続され、かつ、プログラムに従って電気加熱により加熱されるように構成された管状サンプリングチャンバと、ガスクロマトグラフィ分離カラムの端を、サンプリングヘッドの端から遠隔の端で受けるように構成された、サンプリングチャンバ内部のライナと、キャリアガスをライナ内に導入するための手段とを備える。
【０００３】
このようなサンプリングチャンバは、たとえば、DE Journalの「LABO Kennziffer Fachzeitschrift fur Labortechnik」１９８３年７月版、第３７頁から第４６頁のSchomburgによる論文「Probenaufgabe in der Kapillargaschromatographie」およびＤＥ  ３４  ４８  ０９１  Ｃ３号により公知である。
【０００４】
液状サンプルをガスクロマトグラフ中にサンプリングするためには、通常、取扱いやすい量を得るために、サンプルは溶媒中に溶解される。溶解されたサンプルは、隔膜または加熱されたバルブを有するサンプリングヘッドを介して、注入針によりキャリアガスの流れに注入される。キャリアガスの流れは、ライナを通ってサンプルおよび溶媒を運ぶ。通常、ガラスからなるライナは、熱によって加熱されるサンプリングチャンバ中に位置する。刊行物LABOにおいては、この加熱は、空気が加熱コイルにより加熱される空気加熱である。ＤＥ  ３４  ４８  ０９１  Ｃ３号においては、サンプリングチャンバは、加熱コイルにより囲まれる管である。ライナは、管型サンプリングチャンバの中央に位置する。環状空間が、ライナとサンプリングチャンバとの間に形成される。サンプリングチャンバおよびそれによるライナは、プログラムに従って加熱されるように構成されている。
【０００５】
「分岐」動作においては、初めに高揮発性溶媒が蒸発される。この蒸発した溶媒が、ライナおよび環状空間を通って流れ、分岐出口を通って除去される。次に、サンプル自体を、より高温に「バリスティック（ballistische）」加熱することによって、蒸発させる。好ましくは、わずかな量のサンプルしか必要としないおよびそれしか処理しないキャピラリカラムである分離カラムは、入口端を有する入口とは反対側のライナの端内まで延在する。サンプルは、キャリアガスにより分離カラム内に運ばれる。分離カラムは、温度プログラムに従って加熱される。
【０００６】
より大容量のサンプルガスがライナ中に発生するにつれて、分離カラムの入口でサンプルの濃縮が行なわれる。分離カラムの温度は、初めは低く保たれる。これにより、分離カラム中で、サンプルの全成分の低いキャリア速度が生じる。サンプルガスの栓が分離カラムの入口に形成される。分離カラム中の温度を上昇させると、さまざまなサンプル成分の揮発性の差異がより明らかになり、異なるキャリア速度と、それにより、分離カラムの出口で別々に表れるピークにおけるサンプルの分離とが生じる。
【０００７】
公知のサンプルヘッドは、妨害となる可能性のあるマトリックスの除去のために、困難なサンプル調製を必要とする。
【０００８】
Anal. Bioanal. Chem (2006) 384; 1113-1122のM. Wortberg, W. Ziemer, M. Kugel, H. MullerおよびH. -J. Neuによる刊行物「Monitoring industrial wastewater by online GC-MS with direct aqueous injection」においては、分岐出口なしの、閉止された注入器を用いるアセンブリが記載されている。サンプルは注入器の蒸発体積で蒸発される。その後、蒸発したサンプルは上記蒸発体積を超えてライナに送られる。ライナはTenax TAで充満される。サンプルは、水蒸気が除去される間、冷たいライナ内に残留する。次に、ライナは加熱され、サンプルはカラム内に挿入される。
ＷＯ２００５／０４７８６Ａ２号は、ガスクロマトグラフィ用サンプルを予め濃縮するためのアセンブリを開示している。サンプルは吸着剤を通って流される。その後、サンプルは吸着剤から反対方向にバックフラッシュされる。
ＵＳ  ６，４０２，９４７号は、サンプルを液体クロマトグラフィカラムから逆相および順相クロマトグラフィ両方用のガスクロマトグラフィカラム内に自動的に移送するためのアダプタを記載している。アセンブリには、液体クロマトグラフィカラムの端部と、ガスクロマトグラフィカラムの入口と、溶媒を除去するための接続部との３つの接続部を有するライナが設けられている。キャリアガスは、移送モードでライナ内に流れ、ライナ中に存在する吸着剤を通って流れる。サンプルは、移送モードで液体クロマトグラフィカラムからライナ内に挿入される。サンプルは、吸着モードでは、吸着剤により吸着され、脱着モードでは、吸着剤が、サンプルを含みそれをガスクロマトグラフィカラムに運びつつ、キャリアガスにより反対方向にフラッシングされる。アセンブリは、多くのバルブ、圧力調整器および接続部を必要とする。したがって、製造が複雑かつ高価である。
【発明の概要】
【発明が解決しようとする課題】
【０００９】
発明の開示
発明の目的は、サンプル調製を容易にし、かつ、分析結果の精度を上げる、上述の種類の装置および方法を提供することである。
【課題を解決するための手段】
【００１０】
発明に従うと、この目的は、ガスクロマトグラフィ用サンプルの調製のための装置であって、
（ｉ）ライナの下端部は制御可能に加熱されるように構成され、
（ｊ）サンプル貯槽はライナ内部に配置されるか、またはサンプルとともにライナ内に挿入されるように構成されており、
（ｋ）活性材料は、ライナの制御可能に加熱される下端部に設けられ、
（ｌ）ガスクロマトグラフィカラムを接続するためのカラム接続部は、活性材料の上方に設けられ、
（ｍ）キャリアガスの流れは、第１のセッティングにおいては、活性材料から空間内に流され、そこから分岐出口に流され、
（ｎ）キャリアガスの流れは、第２のセッティングにおいては、空間を通って、その後活性材料を通って、反対方向に流れることを特徴とする、装置により達成される。
【００１１】
このような装置により、サンプルをサンプル貯槽とともに、ライナ内に挿入することができる。代替的には、サンプルは、既にライナ内に存在するサンプル貯槽内に導入される。サンプル貯槽は、ライナの上端部に存在してもよい。特に、サンプル貯槽は、ライナの上端部に、磁気的に取付け可能である。
【００１２】
さらなる代替的な実施形態においては、サンプル貯槽は、ライナの外側に位置決めされる。これは特に、サンプルが大量にある場合に有用である。この実施形態により、サンプル貯槽をオートサンプラーにより作動させることができる。
【００１３】
装置は、ライナの温度から独立して、かつ、さらなるサンプル調製工程から独立して、溶媒とともにサンプルを徐々に蒸発させることを可能とする。
【００１４】
蒸発したサンプルは、第１の工程において溶媒とともにライナに入る。次に、ライナはキャリアガスによりフラッシングされる。キャリアガスはこの工程において、ライナまたはライナの栓にある接続部を介して導入され得る。サンプルは、キャリアガスとともに活性材料を通過し、そこに残留する。活性材料は、吸着剤または相材料であってもよい。活性材料は、ガラスフリット、ライナの多孔性ガラス底部などの上でライナ内に配置されることができる。キャリアガスは、ライナの下端のガラスフリットまたはガラス底部を通って出る。そこから、キャリアガスはライナと外側管との間の空間を通過する。キャリアガスは分岐出口を通って除去される。
【００１５】
サンプルが完全に蒸発し、活性材料の範囲内に存在する場合、第２の方法工程において、キャリアガスの流れは反転される。次に、キャリアガスが、外側管のキャリアガス接続部を通って、ライナと外側管との間の空間に入る。同時に、それまでは閉止されていたカラム接続部は開放される。キャリアガスはここで、空間および活性材料を通って反対方向に流れる。そこでサンプルをそれとともに運ぶ。その後、カラム接続部を通ってカラムに送られる。
【００１６】
好ましくは、活性材料は加熱および／または冷却され得る。冷却により、第１の工程における蒸発したサンプルの保持が改善される。加熱により、第２の工程におけるサンプルの放出が改善される。
【００１７】
サンプルマトリックスは、サンプルが活性材料中に保持されている間、本発明に従う装置により除去される。活性材料の選択は、サンプルの組成および分析検査用物質に依存する。特に有利な態様においては、装置は、揮発性のあるおよび高沸点を有する物質の濃縮を可能とし、高沸点を有する物質は、既にわずかな長さだけ通過した後で、活性材料中に吸着または保持される。揮発性物質は、活性材料中に深く入り込む。しかし、放出は反対方向で行なわれ、それにより揮発性物質および高沸点を有する物質は、同時にカラム接続部に到達する。
【００１８】
好ましくは、カラムの下流に冷却トラップが設けられる。制御手段はさらに、第１のセッティングにおいてキャリアガスの侵入を防ぐのに十分なガス圧力をカラム内部に発生するように構成された、カラムの下流の補助ガス接続部を備えてもよい。補助ガス接続部は、冷却トラップの上流または下流に設置されてもよい。カラム内の圧力をライナ内よりも高く設定することによって、カラム内にサンプルが早期に入ってしまうことを防ぐ。サンプルが蒸発し、キャリアガスの流れが反転されると、カラム内の圧力を低下させる。それによりサンプルがカラムを通って流れる。このようにして、高価なバルブ構造が防がれる。
【００１９】
同様に、制御手段は、キャリアガス接続部の圧力を制御するための圧力制御手段を備えてもよい。ライナに対する圧力が圧力で制御される場合、キャリアガスが入ったり除去されたりすることはない。圧力を上げると、キャリアガスがライナと外側管との間の空間内に流れる。
【００２０】
装置は、分岐出口中に遮断バルブを備えてもよい。遮断バルブは、キャリアガスの流れが、外側管中のキャリアガス供給部からカラム接続部に流れる場合に、分岐出口を閉止するために、第２のセッティングにおいて使用可能である。
【００２１】
装置は、サンプル貯槽が、サンプルまたはサンプル容器を自動的に受けるための受け装置と、サンプル蒸気をライナ内に移送するための移送手段とを備えるように設計され得る。移送手段は、たとえば、ライナ中の加熱される移送ラインにより形成され得る。
【００２２】
本発明に従う方法は、サンプル蒸気が、活性材料と同一の容器中に存在するサンプル貯槽を加熱することにより発生されることを特徴とする。
【００２３】
好ましくは、活性材料は、工程（ｅ）の間に加熱される。好適な加熱コイルが活性材料の範囲における外側管の周りに設けられ得る。
【００２４】
発明のさらなる変形例においては、活性材料が工程（ｃ）の間に冷却される。この目的のために、冷却媒体を、活性材料の範囲内に、たとえば、加熱コイルの間の空間中に流すことができる。
【００２５】
サンプル蒸気が、活性材料と同様の容器中に含まれるサンプル貯槽を加熱することにより発生される。サンプル貯槽および活性材料は、サンプル貯槽の範囲における第１の加熱コイルと、活性材料の範囲における第２の加熱コイルとを有するライナ内に含まれてもよい。サンプル貯槽は、ライナの上部で同軸に保持される、小さいサンプリング管により形成され得る。次に、加熱工程の間に発生したサンプル蒸気で、ライナが充満する。
【００２６】
発明の代替的な変形例においては、サンプル蒸気は、活性材料を含む容器の外側のサンプル貯槽を加熱することにより発生される。サンプル貯槽はその外径が限定されない。特に、大きいサンプル貯槽およびオートサンプラーを用いてもよい。
【００２７】
本発明のさらなる変形例は従属項の主題である。実施形態を、添付の図面を参照しつつ、下記により詳細に説明する。
【図面の簡単な説明】
【００２８】
【図１】第１のセッティングにおけるサンプル調製装置の概略断面図である。
【図２】第２のセッティングにおける図１のサンプル調製装置を示す図である。
【発明を実施するための形態】
【００２９】
実施形態の説明
図１は、参照番号１０により全体的に示される、ガスクロマトグラフィ用サンプルの調製のための装置を示す。装置は、カラム１２の上流に接続される。好適な検出器１４は、カラム１２に接続される。カラム１２および検出器１４は、ガスクロマトグラフィの技術分野において周知であり、ここでより詳細に説明することはない。
【００３０】
装置１０は、ガラス製で、かつ、数ｍｍの内径を有する管状ライナ１６を備える。ライナ１６には、透過性の底部１８が設けられる。吸着材２０が底部１８上に保持される。吸着材２０の選択は、分析作業に依存する。
【００３１】
カラム１２の端２２は底部１８を通って延び、かつ、吸着材２０を通ってライナ１６の内部に延びる。
【００３２】
サンプル貯槽２６はライナの上部に保持される。透過性かつ不活性の保持装置２８がこの目的のために設けられる。任意の種類の保持装置が好適であることが理解される。本実施形態においては、保持装置は、サンプル貯槽２６のスチール製リングを保持する永久磁石を備える。
【００３３】
サンプル３０は、ガスクロマトグラフィによる分離および／または検査のためにサンプル貯槽２６中に存在する。サンプルは、処理されているかまたは処理されておらず、固形材料または高沸点の残留物を含んでもよい。
【００３４】
ライナ１６は、上端３２が栓３４で閉止されている。さらに、キャリアガス接続部３６が上部に設けられている。希ガス、窒素または水素またはその他の好適なキャリアガスまたはキャリアガスの混合物が、制御可能なキャリアガス供給部（図示せず）から与えられる。
【００３５】
ライナ１６は、外側管３８中に同軸に配置される。外側管３８はスリーブ４０中に配置される。２つの加熱コイル４２および４４は、この二重壁管状構造の間に設けられる。加熱コイルは電流源または電圧源に接続され、制御器により制御される。加熱コイル４２は、下部範囲内の活性材料２０の周りにある。加熱コイル４４は、上部範囲内のサンプル貯槽に巻回されている。サンプルを蒸発させるために、サンプル貯槽２６が加熱される。活性材料を加熱するために加熱電流を加熱コイル４２中に発生させる。それにより活性材料２０の範囲が加熱される。
【００３６】
外側管３８とライナ１６との間に空間４６が形成される。空間４６は本質的に、底部範囲５０内のチャネルまたは穴を介してライナ１６の内部に接続される環状空間である。分岐出口４８は、外側管３８の上部範囲内に設けられる。さらに、空間にキャリアガスを供給するために、キャリアガス接続部５２が外側管の上部範囲内に設けられる。
【００３７】
さらなるキャリアガス接続部５４が、カラム１２の下流に設けられる。さらなるキャリアガス接続部５６は、カラムの下流の冷却トラップ５８の下流に設けられる。冷却媒体供給部６０から、加熱コイル４２間の空間内に冷却媒体を流すことができる。このようにして活性材料２０を冷却することができる。
【００３８】
上述の装置は下記のように動作する。
まず、サンプル６２がサンプル貯槽２６内に入れられる。サンプル貯槽２６が、上方から、開放されたライナ１６内の保持装置２８内に導入される。次に、ライナ１６が塞栓される。次に装置１０が、図１に示される第１のセッティングに設定される。このセッティングにおいては、キャリアガスが接続部３６からライナ１６内に流れる。これは矢印６４によって示される。
【００３９】
同時に、サンプル６２を有するサンプル貯槽２６が、加熱コイル４４により加熱される。スイッチオンされた加熱コイル４４は、塗り潰された断面図により示される。加熱コイル４２は冷たい。これは白抜きの断面図により示される。代わりに、冷却媒体が接続部６０から加熱コイル４２間の空間中に流される。このようにして活性材料２０が冷却される。
【００４０】
分岐出口４８は開放されている。これは矢印６６によって示される。ライナ１６内のガス圧力の範囲またはそれを若干上回るキャリアガス圧力が、接続部５２、５４および５６に加えられる。これは矢印６８、７０および７２により示される。このようにしてガスの早期の侵入が防がれる。サンプル６２が加熱され、ライナ１６の内部２４内に徐々に蒸発する。これは矢印７４により示される。蒸発したサンプル７４は、供給部３６からのキャリアガス６４とともに活性材料２０を通って流れる。キャリアガス６４は抵抗なしに活性材料２０を通って流れる。これは矢印７６により示される。サンプル７４は活性材料２０により吸着されて保持される。高沸点を有する低揮発性サンプル成分は、早期に活性材料２０の上部範囲内に残留する。低沸点を有するサンプルの高揮発性成分は、活性材料２０内に深く入り込み、活性材料２０の下部範囲内に保持される。十分な活性材料２０が用いられ、かつ、活性材料の密度は、すべての所望のサンプル成分がその中に保持されるように選択されることが理解される。
【００４１】
キャリアガスは空間４６中を上方に流れる。これは矢印８０により示される。キャリアガスは分岐出口４８を介して除去される。図１に示される第１のセッティングは、サンプル６２が所望量蒸発するまで保たれる。これにより、固体または高沸点を有するサンプル成分などのマトリックスの不要な残留物が、サンプル貯槽２６中に残留する可能性がある（図２参照）。所望量の蒸発のあと、装置は第２のセッティングに切換えられる。これは図２に示される。
【００４２】
第２のセッティングにおいては、接続部３６を介して供給されるキャリアガスは存在しない。分岐出口４８は閉止される。加熱コイル４４はスイッチオフされる。冷却供給部６０はスイッチオフされる。接続部５４および５６のキャリアガス圧力はスイッチオフされる。同時にまたはその後、活性材料２０は加熱コイル４２により加熱される。キャリアガスは接続部５２から空間４６に流される。これは矢印８２および８４により示される。第２のセッティングにおいて、キャリアガスの流れ８４は空間４６中で頂部から底部へ図１に示される第１のセッティングと反対方向に流れることがわかる。
【００４３】
キャリアガスは加熱された活性材料２０を通って、また底部から頂部へ反対方向に流れる。活性材料２０中に保持されるサンプルは熱により蒸発する。キャリアガスの流れはサンプルを取り込む。矢印８６により示されるキャリアガスおよび矢印８８により示されるサンプルは、カラム接続部２２を通ってカラム１２内に流れる。そこで、サンプルは分離され、公知の態様で分析される。
【００４４】
上述の装置は、サンプルが徐々に蒸発され得るという利点を有する。サンプルは大量に調製されることはなく、それによりプロセスのオンライン分析が可能になる。この方法により、サンプルの低揮発性および高揮発性成分がマトリックスから分離され、かつ同時にライナ内に存在する。このような良好な濃縮により、徐々に蒸発されながらであっても、カラム内での分離の間、特に鋭利なピークが可能となる。瞬時の蒸発は必要ない。
【００４５】
キャリアガス接続部５４および５６の切換え状態に依存して、カラム１２および／または冷却トラップ５８はキャリアガスによりバックフラッシングさせることができる。キャリアガスの代わりに、任意のその他の補助ガスをこの目的のために用いてもよい。接続部に加えられるガスは、カラムのオンオフの切換えおよびバックフラッシングのために作用する。
【００４６】
発明のさらなる代替の実施形態（図示せず）は、熱脱着管により動作する。液状サンプルはこの方法では蒸発しないが、ガス状サンプルは管を通って流れる。そこで分析されるべきサンプル成分が吸着される。残留ガスは除去される。キャリアガスで管をバックフラッシングさせることにより、蓄積したサンプルが再脱着され、ガスクロマトグラフなどの好適な分析機器に送られることができる。管は分析機器から独立しており、吸着プロセス後に分析機器に反転された位置で連結される。
【図１】
0005542157.tif 000002
【図２】
0005542157.tif 000003